(57)【要約】【課題】表面の温度ムラがより少ない床暖房パネルを提供する。【解決手段】床暖房パネル１は、裏面側板状基材（木質板材）２ｂ、均熱板３、表面側板状基材（木質板材）２ａ、化粧板５がこの順番に積層された構造を有する。均熱板３は、アルミニウム箔等の金属箔からなる。床暖房パネル１は、その一方の側面に凸状の雄実７を、他方の側面に凹状の雌実８を有する。雌実８は雄実７に嵌合可能な形状を有する。均熱板３は、雄実７の上面７ａから端面７ｂに沿うように延設されており、上面７ａ全面と端面７ｂを覆っている。そのため、雄実７と雌実８の接続部における均熱性に優れ、かつ雄実７の雌実８への嵌入が容易に行える。【選択図】図１
2013002202.tif 000002
【特許請求の範囲】
【請求項１】
熱源からの熱により床面を暖める床暖房装置に用いられる床暖房パネルであって、
複数の木質板材を積層してなる板状基材と、隣接する木質板材間に介在させた金属箔からなる均熱板とを有し、
板状基材の一方の側面には凸状の雄実が設けられ、他方の側面には前記雄実に嵌合可能な形状を有する凹状の雌実が設けられ、
前記均熱板は雄実側に延設されており、雄実の少なくとも上面全面を被覆していることを特徴とする床暖房パネル。
【発明の詳細な説明】
【技術分野】
【０００１】
本発明は床暖房パネルに関する。本発明の床暖房パネルは、表面の温度ムラが少なく、かつ施工が容易なものである。
【背景技術】
【０００２】
温水や電気ヒータ等の熱源からの熱により床面を暖める床暖房装置が広く普及している。床暖房装置に用いられる床暖房パネルの構成は、基本的には一般の床材と同じであり、木質材料からなる板材を中心とするものである。ただし、熱源からの熱をできるだけ均一に伝えるために、アルミニウム箔等からなる均熱板がさらに設けられることがある。例えば、特許文献１，２に記載の床材では、複数層からなる基材にアルミニウム箔（アルミニウムシート）の均熱板を介在させている。
【先行技術文献】
【特許文献】
【０００３】
【特許文献１】特開２００１−５６１２９号公報
【特許文献２】特開平１０−１３１４６８号公報
【発明の概要】
【発明が解決しようとする課題】
【０００４】
床暖房パネルの敷設は、複数個の床暖房パネルの端面同士を突き合わせて並べ、接続することにより行う。しかし、従来の床暖房パネルでは、パネル間の接続部分における均熱板による均熱効果が不十分であった。そのため、パネル間の接続部分の温度が上がりにくい等、温度ムラの一要因となっていた。
【０００５】
上記現状に鑑み、本発明は、表面の温度ムラがより少ない床暖房パネルを提供することを目的とする。
【課題を解決するための手段】
【０００６】
上記した課題を解決するための請求項１に記載の発明は、熱源からの熱により床面を暖める床暖房装置に用いられる床暖房パネルであって、複数の木質板材を積層してなる板状基材と、隣接する木質板材間に介在させた金属箔からなる均熱板とを有し、板状基材の一方の側面には凸状の雄実が設けられ、他方の側面には前記雄実に嵌合可能な形状を有する凹状の雌実が設けられ、前記均熱板は雄実側に延設されており、雄実の少なくとも上面全面を被覆していることを特徴とする床暖房パネルである。
【０００７】
本発明の床暖房パネルは、複数の木質板材を積層してなる板状基材と、金属箔からなる均熱板とを有している。また、板状基材の一方の側面には凸状の雄実が設けられ、他方の側面には凹状の雌実が設けられている。そして本発明の床暖房パネルでは、木質板材間に介在している均熱板が雄実側に延設されており、雄実の上面全面を被覆している。
【０００８】
本発明の床暖房パネル同士を接合する際には、雄実と雌実とを嵌合させることとなるが、本発明の床暖房パネルでは均熱板が雄実の上面全面を被覆しているので、接続部（実部）における均熱性に優れている。そのため、本発明の床暖房パネルを敷設した床表面は、温度ムラが極めて小さいものとなる。
【０００９】
また本発明の床暖房パネルでは、金属箔からなる均熱板が雄実の上面全面を被覆しているので、木質材料に比べて当該上面の滑りがよい。そのため、床暖房パネルを敷設する際の、雌実の雄実への嵌入が容易であり、施工性にも優れている。
【発明の効果】
【００１０】
本発明の床暖房パネルによれば、床表面の温度ムラを極めて小さくすることができる。さらに、本発明の床暖房パネルは、敷設する際の施工性に優れている。
【図面の簡単な説明】
【００１１】
【図１】（ａ）は本発明の第一実施形態に係る床暖房パネルを示す斜視図、（ｂ）は（ａ）の床暖房パネルの断面図である。
【図２】第一実施形態に係る床暖房パネルの実部を示す拡大断面図であり、（ａ）は嵌合前の状態、（ｂ）は嵌合後の状態を示す。
【図３】本発明の第二実施形態に係る床暖房パネルの実部を示す拡大断面図であり、（ａ）は嵌合前の状態、（ｂ）は嵌合後の状態を示す。
【発明を実施するための形態】
【００１２】
以下、本発明の実施形態について図面を参照しながら説明する。なお、発明の理解を容易にするために、各図面において、各部材の大きさや厚みについては一部誇張して描かれており、実際の大きさや比率等とは必ずしも一致しないことがある。さらに、本発明が以下の実施形態に限定されないことは勿論である。
【００１３】
まず、本発明の第一実施形態について説明する。以下の説明では、図１（ａ）に即して第一実施形態に係る床暖房パネル１の外観と積層構造を説明し、次いで、図１（ｂ）、図２（ａ）、図２（ｂ）に即してパネル間の実部（雄実７と雌実８）について説明する。なお図１（ａ）では、床暖房パネル１が有する実部の図示を省略している。
【００１４】
本発明の第一実施形態に係る床暖房パネル１は、図１（ａ）に示すように、平面視が長方形状の板体であり、板状基材２と均熱材３を基本構成とするものである。詳細には、図１（ａ）、図１（ｂ）に示すように、床暖房パネル１は、下から順に、裏面側板状基材（木質板材）２ｂ、均熱板３、表面側板状基材（木質板材）２ａ、及び化粧板５が積層された構造を有している。すなわち、板状基材２は、表面側板状基材２ａと裏面側板状基材２ｂの二層で構成されており、均熱板３は、表面側板状基材２ａと裏面側板状基材２ｂの間に介在して設けられている。
【００１５】
板状基材２は、表面側板状基材２ａと裏面側板状基材２ｂとからなる。表面側板状基材２ａと裏面側板状基材２ｂは、いずれも、合板やＭＤＦ等の木質材料からなる板材である。床暖房パネル１の敷設時において、表面側板状基材２ａが居室側（上側）に、裏面側板状基材２ｂが熱源側（下側）に、それぞれ位置する。
【００１６】
裏面側板状基材２ｂの厚みは大きく、床暖房パネル１全体の厚みの半分以上を占める。一方、表面側板状基材２ａの厚みは裏面側板状基材２ｂの厚みよりも小さい。
【００１７】
均熱板３は、表面側板状基材２ａと裏面側板状基材２ｂとの間に設けられている。均熱板３は、アルミニウム箔等の金属箔からなる薄いシート材であり、表面側板状基材２ａ及び裏面側板状基材２ｂに接着剤等で接着されている。均熱板３のサイズは、板状基材２のサイズよりもやや大きく、具体的には、板状基材２の両側面から均熱板３の一部がはみ出ている（図１（ｂ））。
【００１８】
化粧板５は、表面側板状基材２ａの上に設けられている。化粧板５は、塩化ビニル樹脂等で構成されたシート材である。床暖房パネル１の敷設時において、化粧板５は居室側の最表面に位置する。
【００１９】
図１（ｂ）、図２（ａ）、図２（ｂ）に示すように、床暖房パネル１は、その一方の側面に凸状の雄実７を、他方の側面に凹状の雌実８を有している。そして、板状基材２の両側面からはみ出た均熱板３が、雄実７と雌実８の一部を覆っている。
【００２０】
雄実７は、床暖房パネル１の一方の側面に設けられており、具体的には、裏面側板状基材２ｂの側面に設けられている。雄実７は、裏面側板状基材２ｂの側面の長手方向全体に延びる突条であり、その断面形状は長方形状である。
【００２１】
均熱板３は、雄実７の少なくとも上面７ａ全面から端面７ｂに沿うように延設されており、上面７ａ全面と端面７ｂを覆っている。
【００２２】
雌実８は、床暖房パネル１の他方の側面に設けられており、具体的には、裏面側板状基材２ｂの他方の側面に設けられている。雌実８は、裏面側板状基材２ｂの側面の長手方向全体に延びる凹状の溝であり、その断面形状はコの字状である。雌実８を構成する溝の形状は、雄実７を構成する突条の形状に合致し、雌実８は雄実７に嵌合可能である。
【００２３】
均熱板３は、雌実８の端面８ｂから凹部の天面８ａに沿うように延設されており、端面８ｂと天面８ａを覆っている。このために、この雌実８においても床暖房パネル１を敷設した床表面の温度ムラを小さくする効果がある。
【００２４】
次に、床暖房パネル１を敷設する方法、及び床暖房パネル１同士の嵌合構造について説明する。
【００２５】
床暖房パネル１を敷設する際には、複数の床暖房パネル１の端面同士を突き合わせて並べ、床暖房パネル１同士を接合する（図２（ａ）、図２（ｂ））。接合は、雄実７を雌実８に嵌入し、両者を嵌合することにより行う。
【００２６】
雄実７を雌実８に嵌入する際、雄実７の上面７ａと雌実８の天面８ａとが互いに接触しながら動く。すなわち、雄実７の上面７ａと雌実８の天面８ａが摺動面となる。ここで、本実施形態では、上面７ａと天面８ａがいずれも金属箔の均熱板３で覆われているから、滑りがよく、雄実７の雌実８への嵌入が容易に行える。そのため、床暖房パネル１は施工性に優れている。
【００２７】
図２（ｂ）に示すように、本実施形態において雄実７と雌実８とを嵌合すると、従来技術と比較して、その接続部（実部）における均熱板３が占める面積が大きくなる。そのため、本実施形態の床暖房パネル１によれば接続部の均熱性がよく、裏面側板状基材２ｂ側からの熱が均一化され、表面の温度ムラが極めて小さくなる。
【００２８】
上記した第一実施形態では、均熱板３が雄実７の端面７ｂまで延設されるとともに端面７ｂを被覆しているが、本発明において、端面７ｂへの延設及び被覆は任意である。すなわち、均熱板３は、少なくとも、上面７ａまで延設され上面７ａ全面を被覆しておればよい。さらに第一実施形態では、均熱板３が雌実８側に延設され、端面８ｂと天面８ａが被覆されているが、本発明において、雌実８側への延設と被覆は任意である。そのような構成を有する床暖房パネル１０（第二実施形態）の実部の構造を、図３（ａ）、図３（ｂ）に示す。
【００２９】
第二実施形態においても、従来技術と比較して、その接続部（実部）における均熱板３が占める面積が大きくなる。そのため、床暖房パネル１０によれば接続部の均熱性がよく、裏面側板状基材２ｂ側からの熱が均一化され、表面の温度ムラが極めて小さくなる。さらに、雄実７を雌実８に嵌入する際、第一実施形態と同様に、雄実７の上面７ａと雌実８の天面８ａが摺動面となる。ここで、本実施形態では天面８ａは木質材料であるが、上面７ａ全面が第一実施形態と同様に金属箔の均熱板３で覆われているから、滑りがよく、雄実７の雌実８への嵌入が容易に行える。そのため、床暖房パネル１０は施工性に優れている。
【００３０】
第二実施形態の床暖房パネル１０は、第一実施形態の床暖房パネル１よりも実部の構造が簡単であり、製造が容易である
上記した実施形態では、板状基材２が二層からなるものであるが、板状基材２は三層以上からなるものでもよい。
【００３１】
上記した実施形態では、均熱板３を１枚設けているが、２枚以上設けてもよい。例えば、板状基材２を三層以上で構成し、各々の隣接する層の間に均熱板３を介在させてもよい。この際、均熱板３の両側面への延設は、いずれか１枚だけでもよい。
【００３２】
上記した実施形態では、表面側板状基材２ａと裏面側板状基材２ｂの間に均熱板３が介在し、直接接触しているが、均熱板３と表面側板状基材２ａの間、あるいは均熱板３と裏面側板状基材２ｂ間に、別の層を介在させてもよい。別の層としては、均熱板３の保護層などが挙げられる。
【００３３】
上記した実施形態では、床暖房パネル１，１０の一対の側面（２面）に雄実７と雌実８が１個ずつ設けられているが、残りの２面にも雄実７と雌実８を設けてもよい。
【符号の説明】
【００３４】
１    床暖房パネル
２    板状基材
２ａ  表面側板状基材（木質板材）
２ｂ  裏面側板状基材（木質板材）
３    均熱板
７    雄実
７ａ  上面
８    雌実
１０    床暖房パネル
【図１】
2013002202.tif 000003
【図２】
2013002202.tif 000004
【図３】
2013002202.tif 000005